(57)【特許請求の範囲】
【請求項１】
同時に複数チャンネルの信号を受信する受信装置であって、
局部発振信号を生成する発振部と、
前記局部発振信号を用いて複数周波数帯域の受信信号を中間周波数（ＩＦ）信号に周波数変換する周波数変換部と、
前記周波数変換部の出力側に接続されてカットオフ周波数が可変であるフィルタと、
前記フィルタの出力側に接続されて複数周波数帯域のアナログ信号をデジタル信号に変換するアナログデジタル（ＡＤ）変換部と、
前記ＡＤ変換部の出力側に接続されて信号レベルを検出する前段検出部と、
前記前段検出部が検出した信号レベルに基づいて、前記フィルタのカットオフ周波数を制御する制御部と、を備え、
前記フィルタのカットオフ周波数を延長することのできる限界以上の周波数間隔だけ離れた位置にある複数の周波数帯域の信号を同時に受信する場合、前記制御部は前記フィルタのカットオフ周波数を延長しない、
受信装置。
【請求項２】
前記フィルタと前記ＡＤ変換部との間に接続されて入力信号を増幅する可変利得増幅部をさらに備え、
前記制御部は、前記前段検出部が検出した信号レベルに基づいて、前記可変利得増幅部の利得も制御する、請求項１に記載の受信装置。
【請求項３】
前記フィルタの入力側に接続されて入力信号を増幅する可変利得増幅部をさらに備え、
前記制御部は、前記前段検出部が検出した信号レベルに基づいて、前記可変利得増幅部の利得も制御する請求項１に記載の受信装置。
【請求項４】
同時に複数チャンネルの信号を受信する受信装置であって、
局部発振信号を生成する発振部と、
前記局部発振信号を用いて複数周波数帯域の受信信号を中間周波数（ＩＦ）信号に周波数変換する周波数変換部と、
前記周波数変換部の出力側に接続されてカットオフ周波数が可変であるフィルタと、
前記フィルタの出力側に接続されて複数周波数帯域のアナログ信号をデジタル信号に変換するアナログデジタル（ＡＤ）変換部と、
前記ＡＤ変換部の出力側に接続されて信号レベルを検出する前段検出部と、
前記前段検出部が検出した信号レベルに基づいて、前記フィルタのカットオフ周波数を制御する制御部と、
前記ＡＤ変換部の出力側に接続された第１帯域通過フィルタと、
前記第１帯域通過フィルタの出力側に接続された第１復調部と、
前記ＡＤ変換部の出力側に接続されて前記第１帯域通過フィルタと通過周波数帯域が異なる第２帯域通過フィルタと、
前記第２帯域通過フィルタの出力側に接続された第２復調部と、を備え、
前記フィルタのカットオフ周波数を延長することのできる限界以上の周波数間隔だけ離れた位置にある複数の周波数帯域の信号を同時に受信する場合、前記制御部は前記フィルタのカットオフ周波数を延長しない、
受信装置。
【請求項５】
前記第１帯域通過フィルタの出力側に接続されて信号レベルを検出する第１後段検出部と、
前記第２帯域通過フィルタの出力側に接続されて信号レベルを検出する第２後段検出部と、
をさらに備え、
前記制御部は、前記第１後段検出部が検出した信号レベルと前記第２後段検出部が検出した信号レベルに基づいて、前記フィルタのカットオフ周波数を制御する、請求項４に記載の受信装置。
【請求項６】
前記制御部は、前記第１復調部から出力された信号の受信品質を示す信号と前記第２復調部から出力された信号の受信品質を示す信号に基づいて、前記フィルタのカットオフ周波数を制御する、請求項４に記載の受信装置。
【請求項７】
前記フィルタと前記ＡＤ変換部との間に接続されて入力信号を増幅する可変利得増幅部をさらに備え、
前記制御部は、前記前段検出部が検出した信号レベルに基づいて、前記可変利得増幅部の利得も制御する、請求項４に記載の受信装置。
【請求項８】
前記フィルタの入力側に接続されて入力信号を増幅する可変利得増幅部をさらに備え、
前記制御部は、前記前段検出部が検出した信号レベルに基づいて、前記可変利得増幅部の利得も制御する、請求項４に記載の受信装置。
【請求項９】
請求項１又は請求項４に記載の受信装置と、
前記受信装置の出力側に接続された信号処理部と、
前記信号処理部の出力側に接続された表示部と、
を備えた電子機器。
【発明の詳細な説明】
【技術分野】
【０００１】
本発明は、信号を受信する受信装置とこれを用いた電子機器に関する。
【背景技術】
【０００２】
図１７は特許文献１に記載されている従来の受信装置１０１のブロック図である。図１７において、従来の受信装置１０１は、局部発振信号を生成する複数の発振部１０２Ａ、１０２Ｂと、発振部１０２Ａ、１０２Ｂが生成した局部発振信号を用いて１チャンネル若しくは複数チャンネルの受信信号を中間周波数（ＩＦ）信号に周波数変換する周波数変換部１０３と、周波数変換部１０３の出力側に接続されたフィルタ１０４と、フィルタ１０４が出力するアナログ信号をデジタル信号に変換するＡＤ変換部１０５と、ＡＤ変換部１０５の出力側に接続された複数の帯域通過フィルタ１１０、１１１と、帯域通過フィルタ１１０、１１１の出力側に接続された復調部１２０とを備える。【０００３】
従来の受信装置１０１は、複数の発振部１０２Ａ、１０２Ｂを用いて単一の周波数変換部１０３で周波数変換を行うことにより、複数チャンネルの信号を同時に受信することができる。【０００４】
従来の受信装置１０１において、複数の信号を同時に受信するために、複数の発振部１０２Ａ、１０２Ｂを同時に用いていたので、回路規模及び消費電力が大きくなるという問題がある。
【特許文献１】特開２００４−３５７０２５号公報
【発明の開示】
【０００５】
受信装置は、同時に複数チャンネルの信号を受信する受信装置であって、局部発振信号を生成する発振部と、その局部発振信号を用いて１周波数帯域若しくは複数周波数帯域の受信信号を中間周波数（ＩＦ）信号に周波数変換する周波数変換部と、周波数変換部の出力側に接続されてカットオフ周波数が可変であるフィルタと、フィルタの出力側に接続されて１周波数帯域若しくは複数周波数帯域のアナログ信号をデジタル信号に変換するアナログデジタル（ＡＤ）変換部と、ＡＤ変換部の出力側に接続されて信号レベルを検出する前段検出部と、前段検出部が検出した信号レベルに基づいて、フィルタのカットオフ周波数を制御する制御部と、を備え、フィルタのカットオフ周波数を延長することのできる限界以上の周波数間隔だけ離れた位置にある複数の周波数帯域の信号を同時に受信する場合、制御部は前記フィルタのカットオフ周波数を延長しない。
【０００６】
例えば、複数周波数帯域を受信することでＡＤ変換部のダイナミックレンジより大きな信号が受信装置に入力されたとしても、ＡＤ変換部に入力される信号レベルをＡＤ変換部のダイナミックレンジ以下にすることができる。
【０００７】
また、受信装置は、同時に複数チャンネルの信号を受信する受信装置であって、局部発振信号を生成する発振部と、その局部発振信号を用いて１周波数帯域若しくは複数周波数帯域の受信信号をＩＦ信号に周波数変換する周波数変換部と、周波数変換部の出力側に接続されてカットオフ周波数が可変であるフィルタと、フィルタの出力側に接続されて１周波数帯域若しくは複数周波数帯域のアナログ信号をデジタル信号に変換するアナログデジタル（ＡＤ）変換部と、ＡＤ変換部の出力側に接続されて信号レベルを検出する前段検出部と、前段検出部が検出した信号レベルに基づいて、フィルタのカットオフ周波数を制御する制御部と、ＡＤ変換部の出力側に接続された第１帯域通過フィルタと、第１帯域通過フィルタの出力側に接続された第１復調部と、ＡＤ変換部の出力側に接続されて前記第１帯域通過フィルタと通過周波数帯域が異なる第２帯域通過フィルタと、第２帯域通過フィルタの出力側に接続された第２復調部と、を備え、フィルタのカットオフ周波数を延長することのできる限界以上の周波数間隔だけ離れた位置にある複数の周波数帯域の信号を同時に受信する場合、制御部は前記フィルタのカットオフ周波数を延長しない。
【０００８】
この受信装置は、複数の受信周波数帯域を同時に復調することができ、例えば、選局時間の短縮効果がある。
【０００９】
また、この受信装置は１つの発振部で、同時に複数周波数帯域の信号を受信することができ、その回路規模を削減させることができる。
【図面の簡単な説明】
【００１０】
【図１】図１は本発明の実施の形態１における受信装置のブロック図である。
【図２】図２は実施の形態１における受信装置のフィルタの回路図である。
【図３】図３は実施の形態１における受信装置の制御のフローを示す。
【図４】図４は実施の形態１における受信装置のフィルタの通過帯域と受信信号の周波数配置を示す。
【図５】図５は実施の形態１における受信装置のフィルタの通過帯域と受信信号の周波数配置を示す。
【図６】図６は実施の形態１における他の受信装置のブロック図である。
【図７】図７は実施の形態１におけるさらに他の受信装置のブロック図である。
【図８】図８は実施の形態１における受信装置のＡＤ変換部のダイナミックレンジの内訳を示す。
【図９Ａ】図９Ａは実施の形態１におけるさらに他の受信装置のブロック図である。
【図９Ｂ】図９Ｂは実施の形態１におけるさらに他の受信装置のブロック図である。
【図１０Ａ】図１０Ａは実施の形態１におけるさらに他の受信装置のブロック図である。
【図１０Ｂ】図１０Ｂは実施の形態１におけるさらに他の受信装置のブロック図である。
【図１１】図１１は実施の形態１における受信装置の他のフィルタの通過帯域と受信信号の周波数配置を示す。
【図１２Ａ】図１２Ａは実施の形態１における受信装置の他のフィルタのブロック図である。
【図１２Ｂ】図１２Ｂは実施の形態１における受信装置のさらに他のフィルタのブロック図である。
【図１２Ｃ】図１２Ｃは実施の形態１における受信装置を搭載した電子機器のブロック図である。
【図１３】図１３は本発明の実施の形態２における受信装置のブロック図である。
【図１４】図１４は実施の形態２における他の受信装置のブロック図である。
【図１５】図１５は実施の形態２における受信装置のフィルタの通過特性と受信信号の周波数配置を示す。
【図１６Ａ】図１６Ａは実施の形態２における受信装置のフィルタの通過特性と受信信号の周波数配置を示す。
【図１６Ｂ】図１６Ｂは実施の形態２における受信装置を搭載した電子機器のブロック図である。
【図１７】図１７は従来の受信装置のブロック図である。
【符号の説明】
【００１１】
１    受信装置
２    発振部
３    周波数変換部
４    フィルタ
５    ＡＤ変換部
６    前段検出部
７    制御部
８    可変利得増幅部
１３    受信装置
１４    受信装置
４０    帯域通過フィルタ
５０    減衰部
【発明を実施するための最良の形態】
【００１２】
（実施の形態１）
図１は、本発明の実施の形態１の受信装置１のブロック図である。図１において、受信装置１は、例えば、地上デジタルテレビ放送を受信する受信装置であり、局部発振信号を生成する発振部２と、この発振部２が生成した局部発振信号を用いて１周波数帯域若しくは複数周波数帯域の受信信号を中間周波数（ＩＦ）信号に周波数変換する周波数変換部３と、周波数変換部３の出力側に接続されてカットオフ周波数が可変であるフィルタ４と、フィルタ４の出力側に接続されて１周波数帯域若しくは複数周波数帯域のアナログ信号をデジタル信号に変換するアナログデジタル（ＡＤ）変換部５と、ＡＤ変換部５の出力側に接続されて信号レベルを検出する前段検出部６と、前段検出部６が検出した信号レベルに基づいて、フィルタ４のカットオフ周波数を制御する制御部７とを備える。ＡＤ変換部５の入力端がフィルタ４の出力側に接続されている。以下、受信装置１は受信信号の一例として、地上デジタルテレビ放送を受信する受信装置であるとして、動作説明を行う。【００１３】
なお、以下においては、周波数帯域として地上デジタルテレビ放送で規定されるチャンネルを例として説明する。【００１４】
ただし、地上デジタルテレビ放送においては、チャンネルをさらに分割した周波数帯域をセグメントと呼ぶ場合があるが、実施の形態においては、複数チャンネルを受信する場合と異なるところはない。従って、本発明は、複数セグメントを受信する場合にも適用できる。【００１５】
また、同じ番組を時間的に分割して送受信を行う時間スライシング（ＴＳ）方式や、時間のみならず周波数方向にも番組を分割して送受信を行う時間周波数スライシング（ＴＦＳ）方式という間欠受信方法がデジタルテレビ放送方式の一つとして検討されている。この場合には、特定の番組が複数の周波数帯域に分割して伝送されるが、このＴＦＳ方式の放送を受信する際にも、実施の形態は適用することができる。【００１６】
図２はフィルタ４の回路図である。フィルタ４は能動素子を用いた楕円関数フィルタである。フィルタ４のカットオフ周波数ｆｃは式１で示すことができる。
【００１７】
ｆｃ＝１／（２・π）・｛１／（Ｒ３・Ｒ２・Ｃ１・Ｃ２）｝１／２  …（式１）
このように、図２における定数Ｒ２、Ｒ３、Ｃ１、Ｃ２を切り替えることで、フィルタ４のカットオフ周波数ｆｃを制御することができる。例えば、図２に示すコンデンサの値Ｃ１、Ｃ２を可変にするために、電圧制御型の可変容量コンデンサを用いたり、容量の違う数種類のコンデンサをスイッチを用いて切り替えたりしている。【００１８】
また、受信装置１では、例えば、制御部７、以前に記憶した前段検出部６の検出結果や予め設定した基準値を示すデータを記憶し、このデータと前段検出部６から出力された信号レベルとを比較する。【００１９】
図３は、複数のチャンネルを同時に受信可能にする受信装置１の、制御のフローを示す。図４はフィルタ４の通過帯域と受信信号の周波数配置を示す。図４に示すように、中間周波数（ＩＦ）帯における１つ目の受信チャンネルＣＨ＿１と、２つ目の受信チャンネルＣＨ＿２が隣り合っている。また、フィルタ４のカットオフ周波数を変更して延長し、通過帯域幅Ｗｐが制御できる。図３において、受信装置１は、例えば地上デジタルテレビ放送の受信を開始する（ステップＳ１）。そして、受信装置１の制御部７は、ユーザからの選局指令を監視し（ステップＳ２）、ユーザからチャンネル切り替えの要求があったか否かを判定する（ステップＳ３）。ステップＳ３においてその要求がなければステップＳ２に戻り、制御部７はユーザからの選局指令を監視する。ステップＳ３にてユーザからのチャンネル切り替え要求があると制御部が判定すると、発振部２と周波数変換部３を用いて、受信信号を高周波数（ＲＦ）帯からＩＦ帯へダウンコンバートする（ステップＳ４）。そして、制御部７は、所望のチャンネルＣＨ＿１の信号のみが通過するようにフィルタ４のカットオフ周波数ｆ１を設定する（ステップＳ４）。この後、前段検出部６は、ＡＤ変換部５でデジタル値に変換された所望のチャンネルＣＨ＿１の信号の信号レベルＬ１を検出し、制御部７は、レベルＬ１を記憶する（ステップＳ４）。次に、制御部７は、フィルタ４のカットオフ周波数ｆｃを変更して延長し、通過帯域幅Ｗｐを幅Ｗｐ１から幅Ｗｐ２に延長してカットオフ周波数ｆｃをカットオフ周波数ｆ２に設定し、次のチャンネルＣＨ＿２もフィルタ４を通過できるようにする。また、前段検出部６が２つのチャンネルＣＨ＿１、ＣＨ＿２の受信信号の合計の信号レベルＬ２を検知し、制御部７は、その信号レベルＬ２を記憶する（ステップＳ５）。その後、制御部７は、信号レベルＬ２がＡＤ変換部５のダイナミックレンジＤＡＤ以下であるかを判定する（ステップＳ６）。ステップＳ６で、信号レベルＬ２がＡＤ変換部５のダイナミックレンジＤＡＤを超えたと制御部７が判定した場合、制御部７は、２つの信号の同時受信は不可能と判断し、チャンネルＣＨ＿１の信号のみを受信しチャンネルＣＨ＿２の信号を受信しないようにカットオフ周波数ｆｃを周波数ｆ２から周波数ｆ１に戻し、ステップＳ２においてユーザの選局指令を監視する。また、２つの受信信号のレベルの差が大きい場合、同時受信は困難である。したがって、ステップＳ６にて信号レベルＬ２がＡＤ変換部５のダイナミックレンジＤＡＤ以下であると制御部７が判定した場合、レベルＬ１とＬ２の差が基準範囲内であるかの判定を行う（ステップＳ７）。ここで、図４に示すように、２つのチャンネルＣＨ＿１、ＣＨ＿２の信号を受信する場合、２つのチャンネルの信号のレベルが等しければ信号レベルＬ２は１チャンネルの受信と比べ２倍の電力となるので、合計の受信電力は３ｄＢ上がる。よって、ステップＳ７における基準範囲を例えば２ｄＢ〜４ｄＢとする。次に、制御部７は、信号レベルＬ１、Ｌ２の差がこの基準範囲内であれば２つの信号を同時受信できると判定し、フィルタ４のカットオフ周波数ｆｃを周波数ｆ２のまま固定し、ステップＳ２にてユーザの選局指令を監視する。制御部７は、レベルＬ１、Ｌ２の差が基準範囲外と判定すれば、フィルタ４のカットオフ周波数ｆｃを周波数ｆ１に戻し（ステップＳ８）、ステップＳ２にてユーザの選局指令を監視する。【００２０】
上記制御により、例えば、複数チャンネルを受信することでＡＤ変換部５のダイナミックレンジＤＡＤより大きな信号が受信装置１に入力されたとしても、制御部７がフィルタ４のカットオフ周波数ｆｃを制御することにより、ＡＤ変換部５に入力される信号レベルをダイナミックレンジＤＡＤ以下にすることができる。即ち、制御部７が上記制御を行うことにより、受信装置１が少なくとも１つの発振部２を有する構成でも、同時に複数チャンネルの信号を受信可能にすることができる。その結果、受信装置１の回路規模を削減させることができる。【００２１】
また、前段検出部６は、ＡＤ変換部５の出力側に接続されている場合、ＡＤ変換部５の出力レベルをデジタル値で検出することにより、その値を保持し、その出力レベルを以前のデータや予め設定したデータと容易に比較することができ、またフィルタ４のカットオフ周波数制御の精度も容易に可変にすることができるという効果がある。さらにデジタル値の検出や制御はデジタル回路で構成可能であり、受信装置１の小型化に役立つ。【００２２】
尚、図４では隣り合う複数チャンネルを示したが、複数チャンネルは必ずしも隣り合う必要はなく、受信装置１は複数チャンネルが互いに離れていても上記構成にて受信は可能である。さらに、受信装置１は２つの受信信号を同時に受信するが、１チャンネル若しくは３チャンネル以上の同時に受信してもよい。図５は受信装置１のフィルタ４の通過帯域幅Ｗｐと受信信号の周波数配置を示す。図５で示すように、カットオフ周波数ｆｃを変更して延長することのできる限界である最高カットオフ周波数ｆｃ＿ｍａｘより高い周波数のチャンネルの信号を受信装置１は同時受信することはできない。すなわち、フィルタ４の通過帯域幅Ｗｐを延長できる限界である最大通過帯域幅Ｗｐ＿ｍａｘに入らない周波数を有する２つのチャンネルの信号を受信装置１は同時受信することはできない。したがって、この場合には、制御部７は最初から上記フィルタ４のカットオフ周波数ｆｃを変更して延長する制御を行わないことが望ましい。例えば、日本の地上デジタルテレビ放送や従来までのアナログテレビ放送のように、地域毎に予め放送局の周波数配置が決められている場合、受信装置１では、例えば、制御部７はチャンネル表を記憶する。制御部７は、記憶しているチャンネル表を参照し、受信しようとする任意の２つのチャンネル間の周波数の間隔がフィルタ４の最大通過帯域幅Ｗｐ＿ｍａｘを超えていると判断すれば、フィルタ４のカットオフ周波数の延長による通過帯域幅Ｗｐの延長の制御は行わない。また制御部７は、２つのチャンネル間の周波数の間隔がフィルタ４の最大通過帯域幅Ｗｐ＿ｍａｘ内であれば、フィルタ４のカットオフ周波数ｆｃの延長による通過帯域幅Ｗｐの制御を行う。これにより、制御部７は消費電力を浪費することなく、より効率の良く信号を受信するように受信装置１を制御することが可能である。【００２３】
図６は、実施の形態１による他の受信装置１Ａのブロック図である。図６において、図１に示す受信装置１と同じ部分には同じ参照番号を付し、その説明を省略する。図６に示す受信装置１Ａでは、前段検出部６は、フィルタ４とＡＤ変換部５との間に接続されて、フィルタ４の出力レベルを検出する。これにより、ＡＤ変換部５に入力される信号レベルを概ね常にＡＤ変換部５のダイナミックレンジＤＡＤ以下に制御でき、ＡＤ変換部５の歪みの影響を防ぐことが可能である。その結果、受信装置１Ａの受信品質を向上させることができる。【００２４】
図７は、実施の形態１によるさらに他の受信装置１Ｂのブロック図である。図７において、図１に示す受信装置１と同じ部分には同じ参照番号を付し、その説明を省略する。図７に示す受信装置１Ｂは、フィルタ４とＡＤ変換部５との間に接続されて入力信号を増幅する可変利得増幅部８をさらに備える。制御部７は、前段検出部６が検出した信号レベルに基づいて、可変利得増幅部８の利得も制御する。ＡＤ変換部５に入力される信号レベルは、ＡＤ変換部５のダイナミックレンジＤＡＤ以下で、かつ信号の平均電力に対するピーク電力の比（ＰＡＰＲ）やフェージングなどによる電力変動に対するマージンを確保しつつ、量子化誤差が最も少なくなるような電力となるように、制御部７でフィルタ４のカットオフ周波数ｆｃや可変利得増幅部８の利得を制御するのが望ましい。これにより、フィルタ４のカットオフ周波数ｆｃに関わらず、常に略一定の入力レベルをＡＤ変換部５に入力することができる。また、フィルタ４の出力する信号レベルを可変利得増幅部８の利得分低くできるので、フィルタ４が歪むことも抑えることができる。その結果、受信装置１Ｂの受信品質を向上させることができる。
【００２５】
例えば、現在の地上デジタルテレビ放送の受信においてＡＤ変換部５として、分解能が１０ｂｉｔのＡＤ変換部が用いられることが多い。受信信号は、１ｂｉｔの分解能で略６ｄＢの振幅を表現できる。例えば、分解能が１０ｂｉｔのＡＤ変換部５のダイナミックレンジＤＡＤは６０ｄＢ（＝１０６）である。図８はＡＤ変換部５のダイナミックレンジＤＡＤのうち、必要な最小限のダイナミックレンジＤｍｉｎの内訳を示す。ダイナミックレンジＤｍｉｎはダイナミックレンジＤ１〜Ｄ４の和である。図８に示すように、ダイナミックレンジＤ１は移動環境などにおけるフェージングマージンであり、実施の形態１では７ｄＢである。ダイナミックレンジＤ２は、直交周波数分割多重（ＯＦＤＭ）信号のＰＡＰＲであり、実施の形態１では１２ｄＢである。ダイナミックレンジＤ３は、変調信号を復調するための所要キャリア対ノイズ（Ｃ／Ｎ）比であり、実施の形態１では１９ｄＢである。ダイナミックレンジＤ４は、ＡＤ変換部５でＡＤ変換される際の量子化誤差の許容範囲を０．１ｄＢ以下にするための許容差で必要とされ、実施の形態１では１７ｄＢである。このように、必要な最小限のダイナミックレンジＤｍｉｎは５５ｄＢとなる。したがって、ダイナミックレンジＤＡＤが６０ｄＢのＡＤ変換部５を使用すれば、６０−５５＝５ｄＢの余裕が得られる。つまり、実施の形態１による受信装置は、ＣＨ＿１と同レベルのＣＨ＿２を受信しても合計の信号レベルが３ｄＢ上がるだけなので、ＡＤ変換部５のダイナミックレンジＤＡＤに５ｄＢの余裕がある場合、少なくとも２チャンネルの信号を同時に受信できる可能性がある。また、移動しない固定された環境での受信のようにフェージングが発生しにくい環境においては、前述のフェージングマージンが要求されないため、実施の形態１による受信装置は３チャンネル以上の信号を同時受信することが可能となる。さらに、ΔΣ型のＡＤ変換部のように、ダイナミックレンジが１００ｄＢ以上あるＡＤ変換部をＡＤ変換部５に使用することによって、実施の形態１による受信装置は例えば１０チャンネル以上のチャンネルの信号を同時に受信することが可能である。【００２６】
また、前段検出部６は、ＡＤ変換部５の出力側に接続されている場合、ＡＤ変換部５の出力レベルをデジタル値で検出することにより、その値を保持し、その出力レベルを以前のデータや予め設定したデータと容易に比較することができ、またフィルタ４のカットオフ周波数ｆｃを高精度に容易に制御することができるという効果がある。さらにデジタル値の検出や制御はデジタル回路で構成可能であり、受信装置の小型化に役立つ。【００２７】
図９Ａは、実施の形態１によるさらに他の受信装置１Ｃのブロック図である。図９Ａにおいて、図７に示す受信装置１Ｂと同じ部分には同じ参照番号を付し、その説明を省略する。図９Ａに示す受信装置１Ｃでは、前段検出部６はフィルタ４と可変利得増幅部８との間に接続されて、フィルタ４の出力レベルを検出する。これにより、例えば適切な閾値を設定してフィルタ４を制御することで可変利得増幅部８の飽和を防ぐことができる。また、例えば所望の帯域外に強電力の妨害信号がある場合、受信装置１Ｃでは所望の帯域外の信号を遮断できるので、可変利得増幅部８が飽和せずに済む。【００２８】
図９Ｂは、実施の形態１によるさらに他の受信装置１Ｄのブロック図である。図９Ｂにおいて、図７に示す受信装置１Ｂと同じ部分には同じ参照番号を付し、その説明を省略する。図９Ｂに示す受信装置１Ｄでは、前段検出部６は可変利得増幅部８とＡＤ変換部５との間に接続されて、可変利得増幅部８の出力レベルを検出する。この構成により、選局初期におけるＡＤ変換部５の飽和を防ぐことができ、受信装置１Ｄの受信品質を向上させることができる。【００２９】
図１０Ａは、実施の形態１によるさらに他の受信装置１Ｅのブロック図である。図１０Ａにおいて、図７に示す受信装置１Ｂと同じ部分には同じ参照番号を付し、その説明を省略する。受信装置１Ｅでは、図１０Ａに示すように、可変利得増幅部８は周波数変換部３とフィルタ４との間に接続されて、周波数変換部３の出力レベルを増幅する。この構成により、フィルタ４の性能によっては、ノイズをホワイトノイズ付近にまで減衰させることができ、受信信号のＣ／Ｎ比をより大きくすることができるため、受信装置１Ｅ受信品質を向上させることができる。【００３０】
図１０Ｂは、実施の形態１によるさらに他の受信装置１Ｆのブロック図である。図１０Ｂにおいて、図１０Ａに示す受信装置１Ｅと同じ部分には同じ参照番号を付し、その説明を省略する。受信装置１Ｆでは、前段検出部６は、フィルタ４とＡＤ変換部５との間に接続されている。この構成により、選局初期におけるＡＤ変換部５の飽和を防ぐことができ、かつフィルタ４の性能によっては、ノイズをホワイトノイズ付近にまで減衰させることができ、受信信号のＣ／Ｎ比をより大きくすることができるため、受信装置１Ｆの受信品質を向上させることができる。
【００３１】
次に、フィルタ４の通過周波数帯域の周波数特性や、可変利得増幅部８の増幅する帯域の周波数特性がある場合の制御部７による制御について、以下説明する。一般的に、フィルタ４は通過帯域に周波数特性を持つことが多いため、制御部７はフィルタ４の周波数特性を予め記憶し、フィルタ４の周波数特性に対してＡＤ変換部５の入力レベルが略一定となるように可変利得増幅部８の利得を制御することが望ましい。その結果、より多くの受信チャンネルに渡って受信品質を向上させることができる。
【００３２】
図１１は実施の形態１によるフィルタ４の代わりに用いられる他のフィルタ４Ａの通過特性Ｐ１と受信信号の周波数配置を示す。図１２Ａはフィルタ４Ａのブロック図である。チャンネルＣＨ＿１の信号の信号レベルはチャンネルＣＨ＿２の信号より小さい。図１１では、信号レベルが受信チャンネルによって異なっている受信環境に受信装置１（１Ｂ〜１Ｆ）が置かれている。フィルタ４Ａは、１つ若しくは複数の帯域通過フィルタ４０と、１つ若しくは複数の減衰部５０を備える。これにより、フィルタ４Ａは図１１に示す通過特性Ｐ１を有する。制御部７は図１２Ａに示す減衰部５０の減衰量を調整することで、フィルタ４Ａは図１１に示す通過特性Ｐ１を得ることができる。制御部７は通過特性Ｐ１の特に通過損失の量を制御することにより、ＡＤ変換部５に入力される夫々のチャンネルの信号レベルを一定にすることができ、受信装置１（１Ｂ〜１Ｆ）の受信品質を向上させることができる。【００３３】
図１２Ｂは実施の形態１によるフィルタ４の代わりに用いられるさらに他のフィルタ４Ｂのブロック図である。フィルタ４Ｂはローパスフィルタ４０Ａとバンドリジェクトフィルタ４０Ｂとを備える。バンドリジェクトフィルタ４０Ｂは、任意の減衰帯域幅を有するノッチフィルタを有する。制御部７はチャンネルＣＨ＿１の信号とチャンネルＣＨ＿２の信号の双方を通過させるローパスフィルタ４０Ａの通過帯域幅と、信号レベルが大きいチャンネルＣＨ＿１の信号だけを減衰させてチャンネルＣＨ＿２の信号を減衰させないノッチフィルタの減衰帯域幅を適応的に制御する。これにより、信号レベルが比較的高いチャンネルＣＨ＿１の信号に起因するＡＤ変換部５での歪は抑制され、信号レベルが比較的低いチャンネルＣＨ＿２の信号はＡＤ変換部５でのＣ／Ｎ比を所要Ｃ／Ｎ比以上に改善することができる。したがって、フェージングの影響によって異なるチャンネルの振幅変動が大きい受信環境であっても受信装置１（１Ｂ〜１Ｆ）はその受信品質を向上させることが可能となり、複数チャンネルの信号を同時に受信することが可能となる。
【００３４】
尚、受信装置１（１Ｂ〜１Ｆ）は、ＲＦ帯の受信信号を発振部２と周波数変換部３を用いてＩＦ帯にダウンコンバートしているが、ＲＦ信号をフィルタ４に直接入力させる構成としてもよい。このとき、フィルタ４はカットオフ周波数が急峻であるものを用い、ＡＤ変換部５は受信信号の周波数の２倍以上の高いサンプリング周波数で動作していることが好ましい。その結果、発振部２や周波数変換部３が不要となり、受信装置１（１Ｂ〜１Ｆ）の小型化に役立つ。また、受信装置１（１Ｂ〜１Ｆ）は、ＲＦ帯の受信信号を発振部２と周波数変換部３を用いてベースバンド信号に変換し、ダイレクトコンバージョン型の受信をしてもよい。その結果、イメージ除去用のフィルタを省略することができ、受信装置１（１Ｂ〜１Ｆ）の小型化に役立つ。【００３５】
図１２Ｃは実施の形態１による受信装置１（１Ｂ〜１Ｆ）を搭載した電子機器１００１のブロック図である。電子機器１００１は、受信装置１（１Ｂ〜１Ｆ）と、信号を受信するアンテナ１００１Ａとアンテナ１００１Ａに接続されたフィルタ１００１Ｂと、フィルタ１００１Ｂの出力端に接続された増幅部１００１Ｃと、復調部１００１Ｄと、復調部１００１Ｄの出力端に接続されたデコード部１００１Ｅと、デコード部１００１Ｅの出力端に接続された表示装置１００１Ｆとを備える。増幅部１００１Ｃの出力端は図１に示す周波数変換部３に接続されている。ＡＤ変換部５の出力端は復調部１００１Ｄに接続されている。【００３６】
（実施の形態２）
図１３は、本発明の実施の形態２による受信装置１３のブロック図である。【００３７】
図１３において、受信装置１３は、例えば、地上デジタルテレビ放送を受信する受信装置であり、局部発振信号を生成する発振部２と、発振部２が生成した局部発振信号を用いて１周波数帯域若しくは複数周波数帯域の受信信号を中間周波数（ＩＦ）信号に周波数変換する周波数変換部３と、周波数変換部３の出力側に接続されてカットオフ周波数が可変であるフィルタ４と、フィルタ４の出力側に接続されて１周波数帯域若しくは複数周波数帯域のアナログ信号をデジタル信号に変換するＡＤ変換部５と、ＡＤ変換部５の出力側に接続されて信号レベルを検出する前段検出部６と、前段検出部６が検出した信号レベルに基づいて、フィルタ４のカットオフ周波数を制御する制御部７とを備える。受信装置１３は、ＡＤ変換部５の出力側に接続され、第１の周波数帯域の信号のみを通過させる第１帯域通過フィルタ１０、及び第２の周波数帯域の信号のみを通過させる第２帯域通過フィルタ１１をさらに備える。受信装置１は、第１帯域通過フィルタ１０を通過した第１の周波数帯域の信号を復調する第１復調部２０、及び第２帯域通過フィルタ１１を通過した第２の周波数帯域の信号を復調する第２復調部２１をさらに備える。【００３８】
また、受信装置１３は、第１復調部２０に接続された数値制御発振部（ＮＣＯ）２０Ａと、第２復調部２１に接続されたＮＣＯ２１Ａをさらに備える。ＮＣＯ２０Ａ、２１Ａは、第１帯域通過フィルタ１０あるいは第２帯域通過フィルタ１１を通過した信号をベースバンド信号に変換する。【００３９】
受信装置１３が、複数の復調部２０、２１を有するので、複数の受信チャンネルを同時に復調することができ、例えば、選局時間の短縮効果がある。本実施の形態の受信装置１３では、受信したいチャンネル数の復調部を備えておけば、受信チャンネル数の、発振部２、周波数変換部３、フィルタ４、可変利得増幅部８、及びＡＤ変換部５を備える必要がなく、同時に複数のチャンネルを受信することができるので、小型化に役立つ。即ち、複数のチャンネルを同時に受信可能な受信装置において、規模が大きなアナログ回路であるＡＤ変換部５より前段の回路を１本化することにより、小型化することができるのである。即ち、規模が小さなデジタル回路である帯域通過フィルタ１０、１１や復調部２０、２１を多段化しても回路規模はそれほど大きくはならないのである。【００４０】
図１４は実施の形態２による他の受信装置１４のブロック図である。図１４において、図１３に示す受信装置１３と同じ部分には同じ参照番号を付し、その説明を省略する。図１４に示す受信装置１４は、第１帯域通過フィルタ１０と第１復調部２０との間に接続されて第１の周波数帯域の信号の信号レベルを検出する第１後段検出部３０と、第２帯域通過フィルタ１１と第２復調部２１との間に接続されて第２の周波数帯域の信号の信号レベルを検出する第２後段検出部３１とをさらに備える。第１後段検出部３０と第２後段検出部３１のそれぞれの出力は制御部７に接続され、制御部７は、前段検出部６と第１後段検出部３０と第２後段検出部３１のそれぞれの検出値と予め設定した設定値とを比較し、その比較の結果に従ってフィルタ４と可変利得増幅部８を制御する。【００４１】
次に、具体的な受信状況を想定した本発明の実施の形態２における受信装置１４の動作について、図１４を用いて説明する。ここで、受信信号の一例として、地上デジタルテレビ放送のチャンネルを受信することを想定し、また、受信チャンネルの周波数配置は既知であるとして動作説明をする。説明を簡単にするために、図１４のように帯域通過フィルタ、後段検出部、復調部をそれぞれ２系統備えた、２チャンネルを同時に受信する受信装置について説明する。尚、本発明における受信装置１４は、同時に受信したいチャンネル数に応じて、ＡＤ変換部５後段の帯域通過フィルタ、後段検出部、復調部を並列に複数系統持つことによって、３チャンネル以上の同時受信も可能である。【００４２】
まず、図５で示すように、フィルタ４のカットオフ周波数ｆｃを変更して延長する限界すなわち通過帯域幅Ｗｐの延長の限界以上離れた位置にあるチャンネルの同時受信は不可能であるので、最初から上記フィルタ４のカットオフ周波数ｆｃの延長すなわち通過帯域幅Ｗｐの延長制御を行わないことが望ましい。例えば、日本の地上デジタルテレビ放送や従来までのアナログテレビ放送のように、地域毎に予め放送局の周波数配置が決められている場合、受信装置１４は、例えば、制御部７はチャンネル表を記憶している。制御部７は、記憶しているチャンネル表を参照し、受信しようとする任意の２つのチャンネル間の周波数間隔がフィルタ４のカットオフ周波数ｆｃの延長可能範囲を超えていると判断すれば、上記フィルタ４のカットオフ周波数ｆｃの延長すなわち通過帯域幅Ｗｐの延長は行わない。また、制御部７は、２つのチャンネル間の周波数間隔がカットオフ周波数ｆｃの延長可能範囲内であれば、上記フィルタ４のカットオフ周波数ｆｃの延長すなわち通過帯域幅Ｗｐの延長制御を行う。前者の場合、フィルタ４は１チャンネル分の信号しか通過させないので、制御部７は、消費電力削減のため、第２帯域通過フィルタ１１、第２後段検出部３１、第２復調部２１の少なくとも１つの回路をオフにする制御をすることが好ましい。【００４３】
受信装置１４では、図４のようにフィルタ４のカットオフ周波数ｆｃの延長すなわち通過帯域幅Ｗｐの延長制御可能範囲内の信号を受信する場合は、第１後段検出部３０は第１帯域通過フィルタ１０の通過周波数帯域のみを通過した信号の信号レベルを検出し、第２後段検出部３１は第２帯域通過フィルタ１１の通過周波数帯域のみを通過した信号の信号レベルを検出する。これにより、後段検出部３０、３１はより正確に各受信チャンネルの信号レベルを把握することができ、制御部７は夫々の受信信号レベルに応じてフィルタ４のカットオフ周波数ｆｃを制御することができる。これにより、受信装置１４の受信品質を向上させることができる。【００４４】
また、制御部７は、第１復調部２０から出力された受信品質を示す信号と第２復調部２１から出力された受信品質を示す信号に基づいて、フィルタ４のカットオフ周波数を制御しても良い。この制御部７の制御について以下説明する。【００４５】
図４に示すように、チャンネルＣＨ＿１とチャンネルＣＨ＿２の２つの信号のレベル差が基準範囲内であるとき、制御部７は、カットオフ周波数ｆｃを周波数ｆ１から周波数ｆ２に延長して通過帯域幅Ｗｐを幅Ｗｐ１から幅Ｗｐ２に延長するが、チャンネルＣＨ＿１の所要Ｃ／Ｎ比に余裕がなく、２つのチャンネルＣＨ＿１とＣＨ＿２の信号をＡＤ変換した場合、ＡＤ変換部５における量子化誤差が増え、チャンネルＣＨ＿１の信号のＣ／Ｎ比が劣化して所要Ｃ／Ｎ比より小さくなり、結果としてチャンネルＣＨ＿１の信号の正確な復調ができなくなるような場合がある。このとき、制御部７は、第１後段検出部３０で検出された第１の周波数帯域の信号レベルと第２後段検出部３１で検出された第２の周波数帯域の信号レベルのみならず、第１復調部２０と第２復調部２１から出力された信号の例えばＣ／Ｎ比などの受信品質に応じて、フィルタ４のカットオフ周波数ｆｃを変える。つまり、受信装置１４は、一旦２つの受信チャンネルの同時受信を試みるも、受信環境が悪く２チャンネル同時受信は不可能と判断することができ、制御部７は、フィルタ４のカットオフ周波数ｆｃを周波数ｆ２から周波数ｆ１に戻すことで、２つのチャンネルの信号を同時に受信可能な受信環境と、不具合が起こる受信環境に応じて適応的に制御を切り替え、ＡＤ変換部５のダイナミックレンジＤＡＤに近いレベルの信号をＡＤ変換部５に入力させることが可能である。これにより、さらに受信装置１４の受信品質を向上させることができる。【００４６】
また、例えば、地上デジタルテレビ放送の復調において、所望の信号を復調する際には、選局されたチャンネルに発振周波数を合わせるための発振部２のロックアップ時間が略５ｍｓかかり、第１復調部２０に入力された受信信号のフレーム同期を取る時間が５００〜６００ｍｓ程度かかり、これらの時間がチャンネル選局に時間がかかる要因の一つになっている。図１５は受信装置１４のフィルタ４の通過特性と受信信号の周波数配置を示す。上記チャンネル選局時間の短縮方法として、２つの信号が図１５のように、チャンネルＣＨ＿２の信号のレベルに比べチャンネルＣＨ＿１の信号のレベルが大きく、２つの信号のレベルの差が基準範囲外となるような受信環境である場合について、制御部７の制御を説明する。このような受信環境において、チャンネルＣＨ＿２の信号のＣ／Ｎ比が所要Ｃ／Ｎ比より小さい場合には、チャンネルＣＨ＿２の信号は所定のレベルまで増幅される必要がある。フィルタ４のカットオフ周波数ｆｃが周波数ｆ２の場合には、同時にチャンネルＣＨ＿１の信号もフィルタ４を通過するので、これら２つの信号を可変利得増幅部８で増幅すると、信号レベルの大きいチャンネルＣＨ＿１の信号の増幅によって可変利得増幅部８が飽和する。この場合、チャンネルＣＨ＿２の信号の同時受信はせず、フィルタ４のカットオフ周波数ｆｃを周波数ｆ１に戻してもよいが、フィルタ４のカットオフ周波数ｆｃは周波数ｆ２で固定したまま２つの信号を受信してもよい場合もある。つまり、カットオフ周波数ｆｃが周波数ｆ２のときは、チャンネルＣＨ＿２の信号のレベルが小さいので、チャンネルＣＨ＿２の信号のＣ／Ｎ比は所要Ｃ／Ｎ比より小さくなり正確に復調することはできないが、第２復調部２１においてチャンネルＣＨ＿２の同期だけは確立することができる、という可能性がある。【００４７】
図１６Ａは受信装置１３、１４のフィルタ４の通過特性Ｐ２と受信信号の周波数配置を示す。フィルタ４は少なくとも１チャンネルの通過帯域幅を有したバンドパスフィルタであり、初めはチャンネルＣＨ＿１を選局していたユーザがチャンネルＣＨ＿２を視聴したい場合、制御部７は、ユーザからのチャンネルＣＨ＿２への選局指令を受けた後、発振部２の発振周波数を変えることなく、図１６Ａのように、フィルタ４の通過帯域を２つのチャンネルＣＨ＿１とＣＨ＿２の通過帯域幅から、チャンネルＣＨ＿２だけの通過帯域幅となるように制御する。そして、制御部７はフィルタ４を通過したチャンネルＣＨ＿２の信号のレベルをＡＤ変換部５の入力の最適なレベルになるように、可変利得増幅部８の制御をすることにより、発振部２の発振周波数を変化させることなくチャンネルＣＨ＿２を視聴できる。これにより、改めてチャンネルＣＨ＿２の信号だけを受信するために要する上述した発振部２のロックアップ時間や、復調部２０におけるフレーム同期時間などをなくすことができるので、改めてチャンネルＣＨ＿１からチャンネルＣＨ＿２に発振部２の発振周波数を合わせる動作に比べ、はるかにスムーズな選局ができる。この方法により、選局時間の短縮ができ、ユーザの選局時間にかかるストレスを軽減することができる。また、フィルタ４は必ずしもバンドパスフィルタとする必要はなく、図１２のように、１つ若しくは複数の帯域通過フィルタ４０と、１つ若しくは複数の減衰部５０を備え、図１１に示す通過特性Ｐ１を有するように制御部７はフィルタ４を制御してもよい。【００４８】
尚、図１４の受信装置１４において、第１後段検出部３０は第１復調部２０の任意の場所から信号を検出する構成としてもよい。同様に第２後段検出部３１も第２復調部２１の任意の場所から信号を検出する構成としてもよい。さらに、第１後段検出部３０、第２後段検出部３１は例えば信号のレベルだけでなく、Ｃ／Ｎ比、ビタビ復号後のビット誤り率（ＢＥＲ）などの信号品質を示す品質値を検出し、制御部７で比較値と比較する構成としてもよく、制御部７は受信環境に応じて、あるいはより信頼性を増すように、適応的に検出信号や検出方法を切り替える構成としてもよい。例えば、第１後段検出部３０及び第２後段検出部３１は、第１復調部２０及び第２復調部２１内部から受信信号のＣ／Ｎ比を検出し、制御部７は、所要Ｃ／Ｎ比より小さいＣ／Ｎ比を有する信号の受信動作を停止する、という制御と、第１後段検出部３０及び第２後段検出部３１は、第１復調部２０及び第２復調部２１内部からビタビ復号後ＢＥＲの値を検出し、制御部７は、所定の値より小さい値のＢＥＲを有する信号の受信動作を停止する、という動作の切り替えをユーザや回路設計者によって設定することで、受信装置１３、１４の受信環境に応じて、受信品質を向上させることができ、消費電力の削減にも役立つ。【００４９】
尚、上記の具体的な動作説明において、受信信号は地上デジタルテレビ放送に限らない。また、受信チャンネルの周波数配置が未知である場合、受信装置１３、１４は、チャンネルサーチを高速に行うことが可能である。従来のチャンネルサーチは、例えば日本のテレビ放送は１〜６２チャンネルまであるため、局部発振信号の周波数のロックアップ時間が５ｍｓであり、復調部２０、２１のフレーム同期時間が５００ｍｓである場合に、全局サーチをする場合、少なくとも３１ｓ（≒６２×（５＋５００））の時間がかかる。受信装置１３、１４はフィルタ４のカットオフ周波数の制御によって増加する受信信号のレベル（電力）を検出するので、信号のフレーム同期を待つ時間が短縮できる。日本の地上デジタルテレビ放送において、信号の伝送には直交周波数分割多重（ＯＦＤＭ）方式を用いており、有効シンボル長は略１ｍｓである。受信信号のレベル（電力）の測定時間を有効シンボル長の１ｍｓとした場合、１チャンネルのサーチ時間は、発振周波数のロックアップ時間の５ｍｓと合わせて６ｍｓしかかからず、全チャンネルのサーチを行っても０．４ｓ（≒６×６２）しかかからない。さらに、全チャンネルにテレビ信号が存在するわけではないため、受信装置１３、１４におけるフィルタ４のカットオフ周波数ｆｃを延長して通過帯域幅の延長を行うことにより、チャンネルが存在しない周波数に発振周波数を合わせる必要がなくなり、さらにチャンネルサーチを早く行うことができる。このとき、受信装置１３、１４では、制御部７は地域毎にサーチしたチャンネルの周波数配置を記憶することが望ましい。この方法によって、チャンネルサーチを以前に行ったことがある地域の全局チャンネルサーチ動作を省略することができ、チャンネルサーチ時間の短縮につながる。【００５０】
また、フィルタ４のカットオフ周波数の制御もチャンネル毎に変えるという方法だけに限らない。つまり、フィルタ４のカットオフ周波数の制御は、チャンネルの周波数帯域ステップで伸縮させる制御には限らず、容量可変コンデンサなどの連続的に周波数を変えられる素子を用いて、フィルタ４のカットオフ周波数ｆｃを徐々に延長して通過帯域幅を徐々に延長させて信号のレベルを検出する方法としても構わない。この方法により、フィルタ４のカットオフ周波数ｆｃの延長によって強電力が急激に入力されて可変利得増幅部８が飽和するのを防ぐことが可能である。【００５１】
さらに、受信装置１３、１４において、ＡＤ変換部５の出力側に接続された帯域通過フィルタと、この帯域通過フィルタを通過した信号を復調する復調部がそれぞれ２系統ある構成としたが、ユーザや設計者の要求チャンネル数、コスト、受信装置のサイズ等に応じて１系統若しくは３系統以上の構成としてもよい。また、ＡＤ変換部５の出力側に接続された複数の帯域通過フィルタの出力を切り替え、１つの復調部で復調作業を行う構成としてもよい。さらに、受信装置１４において、後段検出部も１つ若しくは複数有する構成としてもよい。【００５２】
尚、受信装置１３、１４では可変利得増幅部８は、フィルタ４とＡＤ変換部５との間に接続された構成で示したが、上述した理由により、可変利得増幅部８がない構成や、可変利得増幅部８は、周波数変換部３とフィルタ４との間に接続された構成としてもよい。さらに、受信装置１３、１４では前段検出部６は、ＡＤ変換部５の出力側に接続された構成で示したが、上述した理由により、前段検出部６は、フィルタ４とＡＤ変換部５との間に接続された構成としてもよい。【００５３】
また、例えば、前述した欧州デジタルテレビ放送規格として検討されているＴＦＳ方式において、同じ番組を視聴するのに、周波数が切り替わるため、複数のチューナを用いることが検討されている。本発明を用いて、信号の受信を行うことで、同時に異なる周波数のチャンネルを受信することができるので、受信装置は複数のチューナを持つ必要がなく、小型化に繋がる。【００５４】
図１６Ｂは実施の形態２による受信装置１３（１４）を搭載した電子機器１００２のブロック図である。電子機器１００２は、受信装置１３（１４）と、信号を受信するアンテナ１００２Ａと、アンテナ１００２Ａに接続されたフィルタ１００２Ｂと、フィルタ１００２Ｂの出力端に接続された増幅部１００２Ｃと、デコード部１００２Ｅと、デコード部１００２Ｅに接続された表示装置１００２Ｆとを備える。増幅部１００２Ｃの出力端は図１３や図１４に示す周波数変換部３に接続されている。第１復調部２０の出力端はデコード部１００１Ｅの入力端に接続されている。
【産業上の利用可能性】
【００５５】
本発明の受信装置は、受信性能を向上させることができ、デジタルテレビ放送受信機器等の電子機器に利用することができる。
【図１】
0005488459.tif 000002
【図２】
0005488459.tif 000003
【図３】
0005488459.tif 000004
【図４】
0005488459.tif 000005
【図５】
0005488459.tif 000006
【図６】
0005488459.tif 000007
【図７】
0005488459.tif 000008
【図８】
0005488459.tif 000009
【図９Ａ】
0005488459.tif 000010
【図９Ｂ】
0005488459.tif 000011
【図１０Ａ】
0005488459.tif 000012
【図１０Ｂ】
0005488459.tif 000013
【図１１】
0005488459.tif 000014
【図１２Ａ】
0005488459.tif 000015
【図１２Ｂ】
0005488459.tif 000016
【図１２Ｃ】
0005488459.tif 000017
【図１３】
0005488459.tif 000018
【図１４】
0005488459.tif 000019
【図１５】
0005488459.tif 000020
【図１６Ａ】
0005488459.tif 000021
【図１６Ｂ】
0005488459.tif 000022
【図１７】
0005488459.tif 000023